(57)【要約】      （修正有）【課題】松葉杖を使用する際のサイズに応じて、調節が可能で、装脱着が容易で簡単であり、荷物が揺れることで松葉杖歩行時の邪魔にならず、歩行時に荷物が落下せず、保管が簡単なバッグを提供する。【解決手段】バッグは、長方形の平面であり、バッグの持ち手には、松葉杖の握り手部１２を包み込むことで握り手部と持ち手とを固定する面ファスナー１、２が設けられ、バッグの腹部には、松葉杖を包み込むことで松葉杖と腹部とを固定する面ファスナー３〜８が設けられ、バッグの取り出し口にはファスナーが設けられ、松葉杖を使用した歩行状態でも、松葉杖にバッグを容易で簡易に脱着して、日常品や携帯品の持ち運びが可能となる。利き手に応じて左右どちらの松葉杖にも対応できる。【選択図】図３
0003221550.tif 000002
【実用新案登録請求の範囲】
【請求項１】
松葉杖を使用した歩行状態でも、松葉杖にバッグを容易で簡易に脱着することで、日常品や携帯品の持ち運びが可能となり、またバッグにファスナーを取り付けることで歩行時において荷物の落下を防ぐことができる。利き手に応じて左右どちらのも松葉杖にも対応できる。
【考案の詳細な説明】
【技術分野】
【０００１】
本考案は、松葉杖を使用して歩行する際は、通常、松葉杖の握り手を掴むため松葉杖を使用するため荷物を持っての歩行が困難となる。またビニール袋などの軽量な荷物を手の平に引っ掛けて持ち運びができたとしても、松葉杖を動かすたびに、ビニール袋が大幅に揺れてしまいことで不安定な動作での松葉杖使用となってしまい、
頻繁に荷物の落下を招いてしまう。そのため松葉杖にバッグを固定することで、松葉杖を使用した歩行状態でも、荷物の揺れを軽減することでより安定した歩行と荷物の落下を防ぐものである。
【背景技術】
【０００２】
従来から、松葉杖を使用して歩行する状況では、松葉杖の持ち手部を掴んで松葉杖を使用するためでもつため、両手がふさがってしまい荷物の持ち運びができなく、仮に手の平に引っ掛けたまま松葉杖で歩行を行うことができても、歩行の邪魔になっていた。
【０００３】
ビニール袋などの軽量な荷物は、手に平に荷物をかけることで、荷物の持ち運びが可能ではあったが、松葉杖の動きに合わせて、大幅に荷物が揺れてしまうため、歩行時には、頻繁に荷物が落下していた。
【先行技術文献】
【特許文献】
【０００４】
【特許文献１】特開平１０−１７９６６５
【特許文献２】実登３０９３８３８
【考案の概要】
【考案が解決しようとする課題】
【０００５】
従来から、松葉杖にバッグは装着できないため、松葉杖にバッグを容易で簡易的に装着脱着できるよう可能にする。
【０００６】
松葉杖に重い荷物やバッグを装着すると歩行する際にバランスが悪く歩行が困難となることから、軽量な素材を使用することで軽量化する。
【０００７】
歩行時に、荷物が大幅にゆれてしまうことで、荷物が頻繁に落下することを防ぐ。
【課題を解決するための手段】
【０００８】
歩行の邪魔にならぬよう、必要時のみ装着できるように、松葉杖を握る箇所にマジックテープ（登録商標）で装脱着を可能とした。
【０００９】
歩行時における荷物の揺れによる歩行の邪魔を防ぐために、バッグの腹部にとりつけたマジックテープ（登録商標）で松葉杖を両端から包み込めるよう、無駄に装着した荷物が揺れないことを可能とした。
【００１０】
歩行時における荷物の大幅に揺れることで起きる荷物の落下を、装着するバッグの取り出し口にファスナーを取り付けることで、荷物の落下を解消した。
【００１１】
歩行時の邪魔、歩行困難の原因とならないよう、布製などの軽量の素材を使用することで、軽量化し、持ち運び、整理が容易なものとした。
【考案の効果】
【００１２】
本考案の簡易脱着式松葉杖バッグを利用することで、今まで、荷物を持って困難だった松葉杖の歩行を、病院内や外出の際にでも、必要時のみ、装着することで、荷物、生活必需品、日常携帯品の持ち運びが可能とした。必要のない際には、収納も簡単であり、普通の買い物バッグとしても使用できる。また材料品や加工が簡単なため安価で製造できることを可能とした。
【考案を実施するための最良の形態】
【００１３】
以下、本考案の実施形態を図３によって説明する。
１２の握り手部に、  マジックテープ（登録商標）が張りつけてある、１の握り手貼付受部を巻き付けて、２の握り手貼付部にて止め。ジックテープで止めることで、容易で簡易的な装脱着を可能とした。
【００１４】
松葉杖の腹部上部に、  ３、松葉杖腹部上部貼付受、４、松葉杖腹部上部貼付を、松葉杖自体を包み込んで巻き付ける、さらに松葉杖腹部下部の左側には、６、松葉杖腹部下部左側貼付を、松葉杖の脚に当たる部分を抑えつけて、同様に右側も脚にあたる部分を抑えつけて、左右の松葉杖腹部下部左側貼付受に、マジックテープ（登録商標）で止めることで、松葉杖を使用する際のサイズに応じて調節ができ、バッグが無駄に揺れないことを可能とした。
【００１５】
ファスナーを本考案の荷物取り出し口に取り付け、歩行時にはファスナーを閉めることで荷物の落下防止を可能とした。
【００１６】
本考案では、老若男女問わず簡易的で容易な使用を可能とするため、布、ビニールなど軽量な素材を利用することで軽量化を可能とし、またマジックテープ（登録商標）を利用することで容易で簡易的な利用が可能となった。
【図面の簡単な説明】
【００１７】
【図１】本考案のバッグの取り付け部分の図である。
【図２】本考案の正面図である。
【図３】実施例の後面から見た図である。
【図４】実施例の正面から見た図である。
【符号の説明】
【００１８】
１    握り手貼付受(マジックテープ（登録商標）)
２    握り手貼付(マジックテープ（登録商標）)
３    松葉杖腹部上部貼付受(マジックテープ（登録商標）)
４    松葉杖腹部上部貼付(マジックテープ（登録商標）)
５    松葉杖腹部下部左側貼付受(マジックテープ（登録商標）)
６    松葉杖腹部下部左側貼付(マジックテープ（登録商標）)
７    松葉杖腹部下部右側貼付受(マジックテープ（登録商標）)
８    松葉杖腹部下部右側貼付(マジックテープ（登録商標）)
９    ファスナー
１０  小物入れポケット（財布、ペットボトル等）
１１  脇当て部
１２  握り手部
１３  持ち手
【図１】
0003221550.tif 000003
【図２】
0003221550.tif 000004
【図３】
0003221550.tif 000005
【図４】
0003221550.tif 000006
【手続補正書】
【提出日】平成31年3月29日(2019.3.29)
【手続補正１】
【補正対象書類名】実用新案登録請求の範囲
【補正対象項目名】全文
【補正方法】変更
【補正の内容】
【実用新案登録請求の範囲】
【請求項１】
松葉杖に容易に脱着されるバッグであって、長方形の平面であり、前記バッグの持ち手には、前記松葉杖の握り手部を包み込むことによって前記握り手部と前記持ち手とを固定する面ファスナーが設けられ、前記バッグの腹部には、前記松葉杖を包み込むことによって前記松葉杖と前記腹部とを固定する面ファスナーが設けられ、前記バッグの取り出し口にファスナーが設けられていることにより、前記松葉杖を使用した歩行状態でも、前記松葉杖に前記バッグを容易で簡易に脱着することで、日常品や携帯品の持ち運びが可能となり、また前記バッグに前記ファスナーを取り付けられたことで歩行時において荷物の落下を防ぐことができ、利き手に応じて左右どちらの前記松葉杖にも対応できることを特徴としたバッグ。
【手続補正２】
【補正対象書類名】明細書
【補正対象項目名】全文
【補正方法】変更
【補正の内容】
【考案の詳細な説明】
【技術分野】
【０００１】本考案は、松葉杖を使用した歩行状態でも荷物の持ち運びを可能としたものである。
【背景技術】
【０００２】従来から、松葉杖には、荷物を持ち運べる荷物入れの機能がなく、仮に松葉杖を使用して歩行する状況では、仮に手の平にビニール袋の取手を引っ掛けた状態で、松葉杖を持って歩行できたとしても、歩行時に荷物が大幅にゆれてしまうことで荷物が頻繁に落下するなど、バランスを保っての歩行が困難となっていた。
【先行技術文献】
【特許文献】
【０００３】
【特許文献１】特開平１０−１７９６６５
【特許文献２】実登３０９３８３８
【考案の概要】
【考案が解決しようとする課題】
【０００４】従来から松葉杖には、入れ物を入れておく機能がなかったため、荷物を持って松葉杖で歩行することが困難である問題がある。
【課題を解決するための手段】
【０００５】バッグには、軽量で、弾力性や伸縮性のある素材を選択し、バッグの持ち手には、松葉杖の握り手部を包み込むことによって、握り手部と持ち手とを固定する面ファスナーを設け、バッグの腹部には、松葉杖と腹部にあたる両側をス包むこみ面ファスナーを設けることで、松葉杖に容易で簡易的に脱着することを提供した、そしてバッグの取り出し口にはファスナー設けることにより、荷物の落下を防ぐことができる。
【考案の効果】
【０００６】  本考案のバッグを利用することで、病院内などの医療現場や外出の際において、今まで松葉杖を使用した状態での困難だった生活必需品、日常携帯品の荷物の持ち運びが可能となり、尚且つ、荷物を持った状態でも安定した松葉杖歩行できるようになりストレスが軽減できるようになっており、本考案バッグを取り外しても、素材が軽量であるため折りたたむことで整理収納もでき、なおかつ、普通の買い物バッグとしても使用できる。
【考案を実施するための最良の形態】
【０００７】以下、本考案の実施形態を図３によって説明する。１２の握り手部に、  面ファスナーが張りつけてある、１の握り手貼付受部を巻き付けて、２の握り手貼付部にて止め。面ファスナーで止めることで、容易で簡易的な装脱着を可能とした。【０００８】松葉杖の腹部上部に、  ３、松葉杖腹部上部貼付受、４、松葉杖腹部上部貼付を、松葉杖自体を包み込んで巻き付ける、さらに松葉杖腹部下部の左側には、６、松葉杖腹部下部左側貼付を、松葉杖の脚に当たる部分を抑えつけて、同様に右側も脚にあたる部分を抑えつけて、左右の松葉杖腹部下部左側貼付受に、面ファスナーで止めることで、松葉杖を使用する際のサイズに応じて調節ができ、バッグが無駄に揺れないことを可能とした。【０００９】ファスナーを本考案の荷物取り出し口に取り付け、歩行時にはファスナーを閉めることで荷物の落下防止を可能とした。【００１０】本考案では、老若男女問わず簡易的で容易な使用を可能とするため、布、ビニールなど軽量な素材を利用することで軽量化を可能とし、また面ファスナーを利用することで容易で簡易的な利用が可能となった。
【図面の簡単な説明】
【００１１】
【図１】本考案のバッグの取り付け部分の図である。
【図２】本考案の正面図である。
【図３】実施例の後面から見た図である。
【図４】実施例の正面から見た図である。
【符号の説明】
【００１２】１    握り手貼付受(面ファスナー)２    握り手貼付(面ファスナー)３    松葉杖腹部上部貼付受(面ファスナー)４    松葉杖腹部上部貼付(面ファスナー)５    松葉杖腹部下部左側貼付受(面ファスナー)６    松葉杖腹部下部左側貼付(面ファスナー)７    松葉杖腹部下部右側貼付受(面ファスナー)８    松葉杖腹部下部右側貼付(面ファスナー)９    ファスナー１０  小物入れポケット（財布、ペットボトル等）１１  脇当て部１２  握り手部１３  持ち手
【手続補正３】
【補正対象書類名】図面
【補正対象項目名】全図
【補正方法】変更
【補正の内容】
【図１】
0003221550.tif 000007
【図２】
0003221550.tif 000008
【図３】
0003221550.tif 000009
【図４】
0003221550.tif 000010